(57)【要約】【課題】筆記体としてボールペンを含む複式筆記具において、筆記先端の繰り出しの際に、軸筒先端内壁に筆記先端が接触しないのはもちろん、筆記先端にインクボテ等の汚れが付着していてもこれが軸筒先端内壁に接触しないようにする。【解決手段】ボールペンチップ30のホルダー31の先端部分に先細に形成されているテーパー部34の先端側に、このテーパー部34との境界が山線をなすように縮径するテーパー面第１縮径部36と、この第１縮径部36との境界が谷線をなすように縮径するテーパー面である第２縮径部37と、この第２縮径部37との境界が山線をなすように縮径するテーパー面である第３縮径部38と、この第３縮径部38との境界が谷線をなすように縮径するテーパー面である第４縮径部39とが設けられ、この第４縮径部先端を内向きに塑性変形させて前記筆記ボール40を抱持するカシメ部35が形成される。【選択図】図５
2009034878.tif 000002
【特許請求の範囲】
【請求項１】
少なくとも１のボールペンリフィルを搭載した複式筆記具であって、
前記ボールペンリフィルの先端に装着されているボールペンチップは、筆記ボールと、該筆記ボールを抱持するホルダーとで構成され、
前記ホルダーの先端部分には、
先細に形成されたテーパー部と、
前記テーパー部の先端側で該テーパー部との境界が山線をなすように縮径するテーパー面である第１縮径部と、
前記第１縮径部の先端側で該第１縮径部との境界が谷線をなすように縮径するテーパー面である第２縮径部と、
前記第２縮径部の先端側で該第２縮径部との境界が山線をなすように縮径するテーパー面である第３縮径部と、
前記第３縮径部の先端側で該第３縮径部との境界が谷線をなすように縮径するテーパー面である第４縮径部と、
前記第４縮径部の先端を内向きに塑性変形させて前記筆記ボールを抱持するカシメ部と
が形成されていることを特徴とする複式筆記具。
【請求項２】
前記複式筆記具の軸筒先端内壁の軸心に対するテーパー角は、前記テーパー部のテーパー角と略等しいことを特徴とする請求項１記載の複式筆記具。
【請求項３】
前記軸筒先端内壁に前記テーパー部が接触している際の、該軸筒先端内壁と前記カシメ部との距離は０．１５ｍｍ以上０．４ｍｍ以下であることを特徴とする請求項２記載の複式筆記具。
【発明の詳細な説明】
【技術分野】
【０００１】
本発明は、複数の筆記先端を有し、特にそのうちの少なくとも１つがボールペンである複式筆記具に関する。
【背景技術】
【０００２】
従来、１つの軸筒内に複数の筆記体を備えた複式筆記具と称されるものが提供されてきている。この複式筆記具としては、いわゆる「多色ボールペン」のように、複数色のボールペンリフィルが搭載されているものが知られている。また、ボールペンのみならず、筆記体としてシャープペンシルも含むものも提供されている。
このような複式筆記具の一般的な構造としては、以下のとおりである。すなわち、軸筒後端付近の外周に、筆記体の数と同数のスライドボタンが用意されている。筆記時には、所望の色あるいは筆記体に対応するスライドボタンを先端方向へ移動させると、それに対応した筆記先端が軸筒先端から突出し、スライドボタンの係止により筆記体は固定され、筆記が可能となる。このような複式筆記具では、筆記体は筆記具の軸心の周囲にほぼ等配された状態となっているが、先端方向への移動に伴い、軸筒先端内壁の傾斜に当接して、軸心に徐々に寄っていき、先端から繰り出されるに至る。したがって、繰り出しの際に、筆記先端が軸筒先端内壁に付着することがある。これにより、軸筒を透明な材質で形成していたりする場合には、軸筒先端内壁がインクで汚れ、見栄えが悪くなる。
【０００３】
この問題点を解決しようと試みているのが下記の特許文献１記載の発明である。同発明では、軸筒先端内壁の傾きを筆記体先端付近のいわゆるテーパー部の傾きより小さくすることで、筆記先端が軸筒先端内壁に触れないようにしようとするものである。
なお、筆記先端をテーパー部の傾きの延長線の内側へ位置させようとする試みとして、下記の特許文献２記載の発明のように、テーパー部の先端側を内向きに凸となるように切削して、その部分の断面形状が略Ｌ字形となるように縮径したものが開示されている。
【特許文献１】特開２００３−４８３９７号公報（図１、図５）
【特許文献２】特開平９−３１５０７５号公報（図１）
【発明の開示】
【発明が解決しようとする課題】
【０００４】
ボールペンの筆記先端にはインクボテ等の汚れが付着することがある。上記従来技術では筆記先端の、特にカシメ部より先端を軸筒先端内壁に付着させないようにすることを試みている。しかし、インクボテはカシメ部の外側に付着するため、筆記先端が軸筒先端内壁に接触しない場合でもインクボテが接触することは想定される。この場合は、軸筒先端内壁の汚れは免れない。
上記の問題点を解決すべく、本発明は、筆記体としてボールペンを含む複式筆記具において、筆記先端の繰り出しの際に、軸筒先端内壁に筆記先端が接触しないのはもちろん、筆記先端にインクボテ等の汚れが付着していてもこれが軸筒先端内壁に接触しないようにすることを課題とする。
【課題を解決するための手段】
【０００５】
上記の課題に鑑み、本発明は、少なくとも１のボールペンリフィル10を搭載した複式筆記具60であって、
前記ボールペンリフィル10の先端に装着されているボールペンチップ30は、筆記ボール40と、該筆記ボール40を抱持するホルダー31とで構成され、
前記ホルダー31の先端部分には、
先細に形成されたテーパー部34と、
前記テーパー部34の先端側で該テーパー部34との境界が山線をなすように縮径するテーパー面である第１縮径部36と、
前記第１縮径部36の先端側で該第１縮径部36との境界が谷線をなすように縮径するテーパー面である第２縮径部37と、
前記第２縮径部37の先端側で該第２縮径部37との境界が山線をなすように縮径するテーパー面である第３縮径部38と、
前記第３縮径部38の先端側で該第３縮径部38との境界が谷線をなすように縮径するテーパー面である第４縮径部39と、
前記第４縮径部39の先端を内向きに塑性変形させて前記筆記ボール40を抱持するカシメ部35と
が形成されていることを特徴とする。
【０００６】
上記ホルダー31は、たとえば、以下のようにして形成される。
たとえば、ステンレス鋼製の円柱材の先端を、先細に略円錐状に切削してテーパー部34を形成する。次いで、後端側からインクの流路となるバック孔を穿孔し、一方先端側から異筆記ボールが収納されるボールハウスを切削し、そしてこれらを連結するインク孔を貫通させる。
そして、テーパー部34の先端側を、内側に凸となるように切削することで、第１縮径部36と第２縮径部37とが同時に形成される。ここで、テーパー部34に対し、この第１縮径部36は内向きに縮径したテーパー面となり、テーパー部34との境界は山線をなす。換言すると、テーパー部34と第１縮径部36とは、外側に凸な略Ｌ字形乃至略Ｖ字形をなすこととなる。一方、第１縮径部36と第２縮径部37との境界は谷線をなす。換言すると、第１縮径部36と第２縮径部37とは、内側に凸な略Ｌ字形乃至略Ｖ字形をなすこととなる。
【０００７】
さらに、第２縮径部37の先端側を、内側に凸となるように切削することで、第３縮径部38と第４縮径部39とが同時に形成される。第２縮径部37に対し、第３縮径部38は内向きに縮径したテーパー面となり、第２縮径部37との境界は山線をなす。換言すると、第２縮径部37と第３縮径部38とは、外側に凸な略Ｌ字形乃至略Ｖ字形をなすこととなる。一方、第３縮径部38と第４縮径部39との境界は谷線をなす。換言すると、第３縮径部38と第４縮径部39とは、内側に凸な略Ｌ字形乃至略Ｖ字形をなすこととなる。
そして、ボールハウスに、たとえば超硬合金製の筆記ボール40を挿入した後、第４縮径部39の先端を内向きに塑性変形させてカシメ部35を形成する。これにより、筆記ボール40が落下しないように抱持されることとなる。
【０００８】
このように、内側に凸となるようなテーパー面の組合せを２段階に設けることで、カシメ部35がテーパー部34の延長線上より十分内側に位置することとなる。
なお、前記複式筆記具60の軸筒先端内壁72の軸心に対するテーパー角は、前記テーパー部34のテーパー角と略等しいことが望ましい。こうすることで、軸筒先端内壁72にはテーパー部34のみが接触し、カシメ部35や筆記ボール40は接触しないこととなる。
また、前記軸筒先端内壁７２に前記テーパー部34が接触している際の、該軸筒先端内壁72と前記カシメ部34との距離は０．１５ｍｍ以上０．４ｍｍ以下であることが望ましい。ここで、カシメ部34に付着するインクボテの大きさは通常０．１５ｍｍ未満であり、０．１５ｍｍ以上のインクボテは筆記時に描線のボテとして付着する。よって、この距離の下限値が０．１５ｍｍであれば軸筒先端内壁72にインクボテが付着することはない。しかし、この距離が０．４ｍｍを超えると、筆記時に筆記ボール40がテーパー部34に隠れてしまうために筆記が困難になる。よって、この距離は０．４ｍｍ以下であることが望ましい。
【発明の効果】
【０００９】
上記の構成により、内側に凸となるような２段階の縮径部により、テーパー部の延長線上よりカシメ部が十分内側に位置することとなる。よって、テーパー部が軸筒先端内壁に接した際に、カシメ部が軸筒先端内壁から十分な距離を保つこととなる。それにより、筆記先端はもとより、インクボテ等の汚れが付着していても軸筒先端内壁に接触することはなく、軸筒先端内壁の汚れが防止できることとなっている。
【発明を実施するための最良の形態】
【００１０】
本発明の１の実施の形態を、図面を参照しつつ説明する。
図１は、本発明の１の実施の形態に係る複式筆記具60を側面断面図で示したものである。
軸筒70内には複数本のボールペンリフィル10が収納されている。そのうちの１本が、スライドボタン75の移動により軸筒先端71より突出している。なお、筆記先端の軸筒先端71からの出没の機構については本件では割愛する。
各ボールペンリフィル10は、図２に正面図（Ａ）及び正面断面図（Ｂ）で示すように、インク収容管15の先端に継手20を介してボールペンチップ30が装着されて形成されている。インク収容管15は、ポリプロピレン製の管として形成されている。継手20はポリブチレンテレフタレート樹脂製で、後半部分がインク収容管15の先端に圧入されている。継手20の内部空間は弁室21となっており、その中にはインクの逆流防止目的でステンレス鋼製の球体である弁体22が遊嵌されている。
【００１１】
ボールペンチップ30は、図３に正面図で示すように、ステンレス鋼製の円柱材を切削加工して形成されたホルダー31と、その先端に抱持される超硬合金製の球体である筆記ボール40とで構成されている。ホルダー31は、継手20先端に圧入される小径のチップ連結部32と、大径のチップ露出部33とに分けられる。チップ露出部33の先端側は、先細に略円錐状に切削されたテーパー部34となっている。さらに、テーパー部34の先端部分には、テーパー部との境界が山線をなすように縮径するテーパー面である第１縮径部36、この第１縮径部36との境界が谷線をなすように縮径するテーパー面である第２縮径部37、この第２縮径部37との境界が山線をなすように縮径するテーパー面である第３縮径部38、及び、この第３縮径部38との境界が谷線をなすように縮径するテーパー面である第４縮径部39が先端方向へ向かって順に形成されている。さらにこの第４縮径部39を内向きに塑性変形させて筆記ボール40を抱持するカシメ部35がホルダー31の最先端に形成されている。一方、ボールペンチップ30の内部空間には、図２に示すように、インクの先端からの流出防止を目的とするスプリング50が挿入されている。
【００１２】
ボールペンリフィル10が軸筒先端71から突出する際には、図４の一部正面断面図に示すように、ボールペンチップ30のテーパー部34が、軸筒先端内壁72と接触して摺動しつつ先端方向へ移動する。この接触の状態を拡大した図５に示すように、テーパー部34のテーパー角と、軸筒先端内壁72の傾斜角とが一致しいる。また、テーパー部34の先端側に形成された第１縮径部36、第２縮径部37、第３縮径部38及び第４縮径部39により、カシメ部35が軸筒先端内壁72より距離ｄだけ離れた位置を保っている。この距離ｄは、０．１５ｍｍ以上０．４ｍｍ以下であることが望ましい。この距離ｄにより、カシメ部35にインクボテが付着していても軸筒先端内壁72に接触して汚すことがないこととなっている。
【産業上の利用可能性】
【００１３】
本発明は、複数の筆記先端を有する複式筆記具に利用可能である。
【図面の簡単な説明】
【００１４】
【図１】本発明の１の実施の形態に係る複式筆記具を側面断面図でそれぞれ示したものである。
【図２】本発明の１の実施の形態で使用されるボールペンリフィルを、正面図（Ａ）及び正面断面図（Ｂ）で示したものである。
【図３】本発明の１の実施の形態で使用されるボールペンチップを正面図で示したものである。
【図４】本発明の１の実施の形態に係る複式筆記具の軸筒先端付近を一部正面断面図で示したものである。
【図５】図４においてテーパー部と軸筒先端内壁との接触部分を拡大した一部正面断面図である。
【符号の説明】
【００１５】
10  ボールペンリフィル    15  インク収容管
20  継手                  21  弁室                  22  弁体
30  ボールペンチップ      31  ホルダー              32  チップ連結部
33  チップ露出部          34  テーパー部            35  カシメ部
36  第１縮径部            37  第２縮径部            38  第３縮径部
39  第４縮径部
40  筆記ボール            50  スプリング
60  複式筆記具            70  軸筒                  71  軸筒先端
72  軸筒先端内壁          75  スライドボタン
【図１】
2009034878.tif 000003
【図２】
2009034878.tif 000004
【図３】
2009034878.tif 000005
【図４】
2009034878.tif 000006
【図５】
2009034878.tif 000007